(57)【要約】【課題】支持体の板状部同士のなす角度を、簡単で且つ正確に、予め決められた角度に合わせることができる表示体を提供する。【解決手段】この発明に係る表示体１１は、表示シート２１と、表示シート２１を支持する支持体３１とを備え、支持体３１が、表示シート１１を支持する少なくとも２枚の板状部３２と、２枚の板状部３２同士を連結する柔軟な屈曲部３３とを有し、屈曲部３３は、２枚の板状部３２をこれらの表面を面一にして並べたときに相対向する端面３２ｅの表面側の角同士を連結し、２枚の板状部３２の各々の端面３２ｅは、それらの裏面側の角同士が互いに離反するように傾斜した傾斜端面になっており、屈曲部３３が２枚の板状部３２の裏面同士が接近する方向に曲げられた状態では、２枚の板状部３２の各々の傾斜端面３２ｅ同士が突き当たることで、２枚の板状部３２同士のなす角度θが所定の角度よりも小さくなることが規制される。【選択図】図１
2019086611.tif 000002
【特許請求の範囲】
【請求項１】
表示内容を表示する表示シートと、前記表示シートを支持する支持体とを備えた表示体であって、
前記支持体が、前記表示シートを支持する少なくとも２枚の板状部と、前記２枚の板状部同士を連結する柔軟な屈曲部とを有し、
前記屈曲部は、前記２枚の板状部をこれらの表面を面一にして並べたときに相対向する端面の表面側の角同士を連結し、前記２枚の板状部の各々の前記相対向する端面は、それらの裏面側の角同士が互いに離反するように傾斜した傾斜端面になっており、
前記屈曲部が前記２枚の板状部の裏面同士が接近する方向に曲げられた状態では、前記２枚の板状部の各々の前記傾斜端面同士が突き当たることで、前記２枚の板状部同士のなす角度が所定の角度よりも小さくなることが規制される
表示体。
【請求項２】
前記２枚の板状部の各々の前記傾斜端面同士の間に着脱自在に装着され、前記２枚の板状部同士のなす角度を前記所定の角度よりも大きい別の所定の角度に合わせる介装部材を備えた
請求項１に記載の表示体。
【請求項３】
前記２枚の板状部の各々の前記傾斜端面には、面ファスナの一方が設けられ、前記介装部材における前記傾斜端面に当接する側面には、前記面ファスナの一方に係止する前記面ファスナの他方が設けられた
請求項２に記載の表示体。
【請求項４】
前記２枚の板状部の表面に、面ファスナの一方が設けられ、
前記面ファスナの一方に係止する面ファスナの他方を有するシート状の連結部材を備えた
請求項１から請求項３のうちの一項に記載の表示体。
【請求項５】
前記屈曲部または前記板状部の端部に、別体の前記支持体を連結する連結手段を備えた
請求項１から請求項４のうちいずれか一項に記載の表示体。
【発明の詳細な説明】
【技術分野】
【０００１】
この発明は、例えば各種スポーツの競技場などで広告等の表示に好適に用いられる表示体に関する。
【背景技術】
【０００２】
スポーツ競技場で使用される表示体としては、例えば特許文献１に記載の表示体がある。この表示体は、表示シートと、表示シートを支持する支持体と、支持体を側面視三角形状に保持する連結部材とを備えている。支持体は、表示シートを支持する２枚の板状部と、２枚の板状部同士を連結する柔軟な屈曲部とを有している。各板状部の表面には、面ファスナの一方が設けられており、連結部材の片面には、面ファスナの一方に係止する面ファスナの他方が設けられている。
【０００３】
上記の表示体を使用する際は、屈曲部を２枚の板状部の裏面同士が接近する方向に曲げて、２枚の板状部が傾斜して支え合う側面視三角形状の姿勢にし、この状態を保持するために、連結部材の両端部に設けた面ファスナの他方を各板状部の表面の面ファスナの一方に係止して、連結部材を各板状部の接地側に掛け回すことで、板状部同士のなす角度の開きを防止する。即ち、連結部材における板状部の接地側に掛け回す長さを調整することで、各板状部同士のなす角度を所定の角度に調整することができる。
【０００４】
また、表示シートが長大である場合は、複数の支持体を横方向に連結して使用する。この場合、各支持体の板状部同士のなす角度は互いに同じ大きさに合わされる。
【先行技術文献】
【特許文献】
【０００５】
【特許文献１】特許第６１８９２５５号公報
【発明の概要】
【発明が解決しようとする課題】
【０００６】
しかしながら、上記の表示体では、支持体の板状部同士のなす角度の調整は、連結部材における板状部の接地側に掛け回す長さを調整することで行われる。従って、支持部の板状部同士のなす角度を予め決められた角度（例えば６０度）に合わせる作業は、作業者の経験と感で行われる。このため、各支持体の間で板状部同士のなす角度にばらつきが生じたり、各支持体の間で板状部同士のなす角度を同じ角度に合わせるのに手間が掛かるという欠点がある。
【０００７】
そこで、この発明は、支持体の板状部同士のなす角度を、簡単で且つ正確に、予め決められた角度に合わせることができる表示体を提供することを主な目的とする。
【課題を解決するための手段】
【０００８】
そのための手段は、表示内容を表示する表示シートと、前記表示シートを支持する支持体とを備えた表示体であって、前記支持体が、前記表示シートを支持する少なくとも２枚の板状部と、前記２枚の板状部同士を連結する柔軟な屈曲部とを有し、前記屈曲部は、前記２枚の板状部をこれらの表面を面一にして並べたときに相対向する端面の表面側の角同士を連結し、前記２枚の板状部の各々の前記相対向する端面は、それらの裏面側の角同士が互いに離反するように傾斜した傾斜端面になっており、前記屈曲部が前記２枚の板状部の裏面同士が接近する方向に曲げられた状態では、前記２枚の板状部の各々の前記傾斜端面同士が突き当たることで、前記２枚の板状部同士のなす角度が所定の角度よりも小さくなることが規制される表示体。
である。
【０００９】
この構成によれば、２枚の板状部において、表面と傾斜端面とのなす角度を例えば所定の角度の半分の角度に設定することで、２枚の板状部の各々の傾斜端面同士が突き当たる所まで屈曲部を曲げるだけで（即ち簡単で且つ正確に）、２枚の板状部同士のなす角度を所定の角度に合わせることができる。  
なお、上記の２枚の板状部における表面と傾斜端面とのなす角度は、互いに同じ角度でよく、異なる角度でもよい。
【発明の効果】
【００１０】
この発明によれば、支持体の板状部同士のなす角度を、簡単で且つ正確に、予め決められた角度に合わせることができる表示体を提供することができる。
【図面の簡単な説明】
【００１１】
【図１】表示体の斜視図。
【図２】支持体の斜視図。
【図３】展開状態の支持体の表面を示す斜視図。
【図４】展開状態の支持体の裏面を示す斜視図。
【図５】支持体の折り曲げ態様を示す説明図。
【図６】連結部材の斜視図。
【図７】折り畳み状態の支持体の斜視図。
【図８】表示体の側面図。
【図９】複数の支持体を連結して使用する場合の表示体の分解斜視図。
【図１０】支持体を連結する連結手段を示す斜視図。
【図１１】連結手段の変形例を示す斜視図。
【図１２】連結手段の別の変形例を示す斜視図。
【図１３】板状部を３枚備える場合の表示体の斜視図。
【図１４】図１３の支持体の展開状態の表面を示す斜視図。
【図１５】図１３の支持体の折り畳み状態を示す側面図。
【図１６】板状部の頂角αが１５度の場合の表示体の側面図。
【図１７】介装部材を備える場合の表示体の斜視図。
【図１８】（ａ）は図１７の部分拡大図、（ｂ）は図１７で介装部材を分離した場合の部分拡大図。
【図１９】図１８（ｂ）の変形例を示す部分拡大図。
【発明を実施するための形態】
【００１２】
＜実施形態＞  
この発明を実施するための一形態を、以下図面を用いて説明する。  
図１は表示体１１の斜視図であり、この表示体１１は例えばサッカーやアメリカンフットボール、ラグビー、フットサルなどの各種スポーツの競技場で広告や得点など、適宜の表示を行うためのもので、地面に設置して使用するのに適した構造である。
【００１３】
図１、図２及び図８に示したように、表示体１１は、表示シート２１と、この表示シート２１を支持する支持体３１と、支持体３１を側面視三角形状に保持する連結部材５１を備えている。支持体３１による表示シート２１の支持は着脱可能にするため面ファスナ６１（相互に係脱する面ファスナの一方６１ａと面ファスナの他方６１ｂ）で行う。
【００１４】
表示シート２１は、全体が柔軟な材料で形成され、左右方向に長い長方形である。表示シート２１の表面には、適宜の必要な表示２２がプリント等で形成される。表示内容が得点など、変化を要するものである場合には、例えば表示シート２１として、樹脂に磁粉を混ぜ込んで形成したマグネットシートや樹脂に鉄粉を混ぜ込んで形成したシートを用い、この表示シート２１に対して、変化を要する表示を備えたカード状の別の表示シート（図示せず）を吸着可能にするとよい。
【００１５】
表示シート２１の裏面には、支持体３１に支持させるため、支持体３１に備えた面ファスナの一方６１ａに係止する面ファスナの他方６１ｂを備えている。面ファスナの他方６１ｂは、表示シート２１裏面の外周縁部全体に適宜幅で備えられている。
【００１６】
支持体３１は、表示シート２１を支持する２枚の板状部３２と、これら板状部３２同士を連結し一体化する柔軟な屈曲部３３を有している。
【００１７】
板状部３２は、支持体３１の斜視図である図２に示したように方形の板状である。具体的には、板状部３２は、表示シート２１と同じ大きさの長方形で、例えば５ｃｍ程度、あるいはそれ以上の適宜の厚みを有し、全体が弾力性を有する。
【００１８】
屈曲部３３は、平面視長方形をなす板状部３２の長辺同士を連結する。板状部３２の長辺のうち屈曲部３３と反対側の長辺部分が使用時に接地する接地部３４である。
【００１９】
板状部３２は、芯材となる板材３２ａを被覆材３２ｂで被覆して構成する。板材３２ａは、長方形板状で、軽量で弾力性のある素材で形成される。これには例えばウレタン系、オレフィン系、ゴム系などの発泡体や、固綿などの繊維系クッションを使用できる。これにより、板材３２ａは、外力を受けて変形すると元の形状に戻ろうとする弾力性を有するものとなる。
【００２０】
被覆材３２ｂは、板材３２ａに対応する大きさで６面を有する袋状である。２枚の板状部３２は同じ大きさである。
【００２１】
板状部３２の表面３２ｃにおける外周縁部全体には、表示シート２１を着脱可能に取り付けるため、表示シート２１裏面の面ファスナの他方６１ｂに係止する面ファスナの一方６１ａを備えている。この面ファスナの一方６１ａの幅は、対となる面ファスナの他方６１ｂと十分な係合ができるように適宜設定される。
【００２２】
板状部３２の裏面３２ｄの略中央部には、図４に示したように、板状部３２の表面３２ｃに備えた面ファスナの一方６１ａと同じ面ファスナの一方６３ａを有している。この面ファスナの一方６３ａは、適宜間隔をあけて左右方向に一対備えられる。
【００２３】
屈曲部３３は、図３に示したように、２枚の板状部３２をこれら板状部３２の表面３２ｃを面一にして並べたときに相対向する端面３２ｅの表面３２ｃ側の角同士を互いに接近させた状態で連結するものである。屈曲部３３は、板状部３２の被覆材３２ｂと同一材料で形成され、細幅帯状である。屈曲部３３の幅は、２枚の板状部３２の厚さに対応する寸法である。
【００２４】
２枚の板状部３２における上記の相対向する端面３２ｅは、図４に示したように、それらの裏面３２ｄ側の角同士（即ち屈曲部３３で連結されていない角同士）が互いに離反するように傾斜した傾斜端面になっている。以後、傾斜端面３２ｅとも記載する。この実施形態では、板状部３２における表面３２ｃと傾斜端面３２ｅとの成す角度（即ち頂角）αは、例えば３０度であり、２枚の板状部３２のなす角度θは、例えば６０度である。
【００２５】
このため、支持体３１は、図５に示したように、屈曲部３３で、２枚の板状部３２の裏面３２ｄ同士が近接する方向に曲げることも、表面３２ｃ同士が近接する方向に曲げることもできる。支持体３１を屈曲部３３で２枚の板状部３２の裏面３２ｄ同士が近接する方向に曲げる場合は、支持体３１を各板状部３２の傾斜端面３２ｅ同士が互いに突き当たるまで曲げることができる。この突き当たりによって、２枚の板状部３２のなす角度θは、各板状部３２の頂角αの和である３０度よりも小さくことが規制される。また、支持体３１を屈曲部３３で２枚の板状部３２の表面３２ｃ同士が近接する方向に曲げる場合は、支持体３１を２枚の板状部３２の表面３２ｃ同士が面接触するまで曲げることができる。
【００２６】
屈曲部３３は、板状部３２の長辺の端から端までの長さである。屈曲部３３の長手方向端部には、別体の支持体３１を連結する連結手段としての連結穴３６が形成されている（図１参照）。
【００２７】
連結部材５１は、適宜幅で柔軟な帯状のシートで形成され、２本備えられている。図６に示したように、連結部材５１の片面の長手方向の両端部には、板状部３２の表面３２ｃに備えた面ファスナの一方６１ａに係止するとともに、板状部３２の裏面３２ｄに備えた面ファスナの一方６３ａに係止する面ファスナの他方６４ｂを有している。連結部材５１の他面における長手方向の両端部、つまり面ファスナの他方６４ｂと背中合わせになる部分には、板状部３２の表面３２ｃに備えた面ファスナの一方６１ａと同じ面ファスナの一方６４ａを有している。
【００２８】
このような連結部材５１の長さは、つぎの条件を満たす長さである。すなわち、図２に示したように、２枚の板状部３２の傾斜端面３２ｅ同士を互いに突き当たて、２枚の板状部３２のなす角度θを６０度にした状態で、連結部材５１を、２枚の板状部３２の接地部３４側に回して、連結部材５１の両端部の面ファスナの他方６３ｂを板状部３２の表面３２ｃの面ファスナの一方６１ａに係止できること。図７に示したように、２枚の板状部３２の表面３２ｃ同士が当接するように重ねて板状部３２の裏面３２ｄを外に出して、２枚の板状部３２の裏面３２ｄに備えた左右一対の面ファスナの一方６３ａのうちの左方同士、または右方同士を連結部材５１の両端部の面ファスナの他方６４ｂを係合して板状部３２の左端または右端に掛け回したときに、板状部３２の重ね合わせ状態を保持できること。これらの条件を満たすように、板状部３２の裏面３２ｄの一対の面ファスナの一方６３ａの間隔と共に、連結部材５１の長さが設定される。
【００２９】
また、連結部材５１の長手方向の両側寄りの部位に、設置するグランド面に対する固定のためのペグなどの固定具（図示せず）を挿入する複数の固定穴５２を有している。
【００３０】
以上のように構成された表示体１１を表示に使用するときには、まず、支持体３１を２枚の板状部３２の裏面３２ｄ同士が近接する方向に曲げる。つまり図２に示したように、支持体３１を、屈曲部３３を介して連結されている２枚の板状部３２が、それらの傾斜端面３２ｅが互いに突き当たることで、２枚の板状部３２のなす角度θが６０度になり、互いに傾斜して支え合う側面視三角形の姿勢にする。このように、２枚の板状部３２の傾斜端面３２ｅを互いに突き合わせるだけで（即ち簡単で正確に）、２枚の板状部３２のなす角度θを６０度に合わせることができる。
【００３１】
そして、上記の姿勢を保持するため、連結部材５１を用いて２枚の板状部３２同士のなす角度θが開かないように規制する。つまり、連結部材５１の両端部に備えた面ファスナの他方６４ｂを板状部３２の表面３２ｃの面ファスナの一方６１ａの上下方向の適宜位置に係止して、板状部３２の接地部３４に掛け回して、２枚の板状部３２同士のなす角度θの開きを防止する。２本の連結部材５１は、板状部３２の長手方向の両端部、つまり左右両端部に固定する。
【００３２】
支持体３１は、適宜の位置、例えばグランドの端や、記者などの侵入を阻止する位置など目的に応じて設置する。設置に際しては、連結部材５１の固定穴５２に固定具を差し込む。このほか、重錘などを連結部材５１の上にのせてもよい。
【００３３】
そして、支持体３１の板状部３２に必要な表示シート２１を取り付ける。連結部材５１における板状部３２の表面３２ｃと同じ側の面に表れる部分には、板状部３２の表面３２ｃの面ファスナの一方６１ａと同じ面ファスナの一方６４ａを備えているので、連結部材５１の固定により表示シート２１の固定状態が劣化することを抑制できる。表示シート２１は板状部３２に対してあらかじめ固定しておいてもよい。
【００３４】
表示シート２１が長大である場合には、図９に示したように、複数の支持体３１を連結して使用する。連結は、図１０に示したように、支持体３１の屈曲部３３の連結穴３６に紐等の結束材３７を通して結束することで行い、必要数の支持体３１を連結する。屈曲部３３に連結穴３６を有するので、支持体３１の上端部で一体化ができ、この状態は、連結部材５１の固定穴５２部分をグランド面に対して固定した時に保持されるので、簡素な構成ながらも良好な連結状態が得られる。
【００３５】
このように支持体３１は連結して使用できるので、言い換えれば、１つの支持体３１が長大になることを防止できる。つまり支持体３１を持ち運び易い大きさとすることができる。
【００３６】
表示シート２１は、支持体３１に対して面ファスナ６１を介して着脱可能に取り付ける構成であるので、表示シート２１の変更が容易であるとともに、１個の支持体で多様な表示をすることもできる。
【００３７】
表示体１１に選手などが衝突した場合には、支持体３１と表示シート２１が全体的に柔軟に変形するので、十分な緩衝機能を発揮し、選手等を保護することができる。
【００３８】
また、上記のように構成された表示体１１を使用しないとき、つまり収納や運搬等に際しては、図７に示したように、まず、支持体３１を屈曲部３３で板状部３２の表面３２ｃ同士が近接する方向に曲げる。つぎに、２枚の板状部３２の表面３２ｃ同士を重ね合わせて、２本の連結部材５１で、２枚の板状部３２の重ね合わせ状態を保持する。つまり、２枚の板状部３２の裏面３２ｄに形成された左右一対の面ファスナの一方６３ａのうち片方側同士に連結部材５１の両端部の面ファスナの他方６４ｂを固定して、重ね合わせた板状部３２の左右方向の端を拘束する。同様に、左右一対の面ファスナの一方６３ａのうち他方側同士にも連結部材５１の両端部の面ファスナの他方６４ｂを固定する。これによって、２枚の板状部３２を重ね合わせた状態が保持できる。
【００３９】
持ち運びに際しては、板状部３２のほとんどの部分は発泡ウレタンで構成されているので軽量である。また連結部材５１で板状部３２をまとめているので移動中にばたついたりすることも防止できる。このため、持ち運びは容易に行える。
【００４０】
さらに、持ち運びを容易にする形態において、支持体３１の板状部３２の表面３２ｃが内側に隠れた状態となるので、面ファスナの一方６１ａを異物の付着から保護できるとともに、表示シート２１を取り付けている場合には表示シート２１を損傷から保護できる。
【００４１】
加えて、表示体１１の使用時と非使用時の相互間の変形作業は、支持体３１が軽量である上に２枚の板状部３２が柔軟な屈曲部３３を介して一体であるので、容易である。そして、使用時と非使用時の形状を保つ連結部材５１は帯状で、この連結部材５１を面ファスナで固定するだけで良いので、作業性はきわめて良好である。
【００４２】
しかも、支持体３１の使用時の形態を保持する連結部材５１は非使用時の形態を保持することに利用できるとともに、連結部材５１自体が柔軟シート材で形成されているので軽く、使用時、非使用時のいずれの場合においても嵩張らない。このため取扱い性が良好である。
【００４３】
以下、その他の例について説明する。この説明において、前述の構成と同一または類似する部位については同一の符号を付してその詳しい説明を省略する。
【００４４】
＜変形例１＞  
図１１は、別体の支持体３１を長手方向に連結する連結手段の他の例を示す斜視図である。この例の連結手段は、板状部３２の左右両側面に備えた面ファスナ６５で構成している。つまり、２枚の板状部３２の左右方向の両側面に、互いに係止する性質の面ファスナの一方６５ａと面ファスナの他方６５ｂを備えている。面ファスナの一方６５ａと面ファスナの他方６５ｂは側面の全面ではなく部分的に備えてもよい。面ファスナ６５の組み合わせは、図１１に示したように、支持体３１の左右方向の一方側をすべて面ファスナの一方６５ａとし、他方側をすべて面ファスナの他方６５ｂとするほか、２枚の板状部３２においてそれぞれ変えてもよい。
【００４５】
この面ファスナ６５で構成した連結手段を備えた場合には、支持体３１同士を連結する状態に突き合わせるだけで、複数の支持体を連結できる。
【００４６】
＜変形例２＞  
図１２は、連結手段の他の例を示す斜視図である。この例の連結手段は、シート状の連結帯５５で構成している。連結帯５５は、板状部３２の左右方向の端面同士を当接した状態の板状部３２間を覆う大きさの生地で形成され、片面の全体には、板状部３２の表面３２ｃの面ファスナの一方６１ａに係止する面ファスナの他方６６ｂを備え、他面の全体には、板状部３２の表面３２ｃの面ファスナの一方６１ａと同じ面ファスナの一方６６ａを備えている。
【００４７】
この連結帯５５で構成した連結手段を備えた場合には、支持体３１同士を連結する状態に突き合わせてから、連結帯５５で、隣接する支持体３１同士を結合すれば、複数の支持体を連結できる。
【００４８】
＜変形例３＞  
図１３は、３枚の板状部３２を有する支持体３１を備えた表示体１１の例を示している。３枚の板状部３２を有する支持体３１は、いずれかの板状部を下にすれば前述のように地面に接地状態にして使用することもできるが、柱状体７１等に巻き付けた状態にして使用するのに好適である。
【００４９】
この例の支持体３１は、図１４に示したように、３枚の板状部３２を共に表面を上にして並べ、各板状部３２の表面側の角同士の間を屈曲部３３で連結し、２個の屈曲部３３（３３ａ，３３ｂ）のうちの一方の屈曲部３３（３３ｂ）で連結した２枚の板状部３２の相対向する端面３２ｅを裏面側の角が互いに離反するように傾斜させた構成で、前述した２枚の板状部３２を有した支持体３１に板状部３２を一枚追加したものに相当する。
【００５０】
ただし、２個の屈曲部３３のうち上記の一方の屈曲部３３ｂは、前述同様、それが連結した角同士が隣接するように幅狭に形成されるが、図１５に示したように、３枚の板状部３２が重なり合うように畳んだときに、すべての板状部３２の表面３２ｃが内側に隠れるように、２個の屈曲部３３のうち他方の屈曲部３３（３３ａ）の幅は、上記の一方の屈曲部３３（３３ｂ）の幅よりも広く形成している。
【００５１】
上記の他方の屈曲部３３ａで連結された２枚の板状部３２の上記の相対向する端面全体には、面ファスナの一方６２ａが固定されており、上記の他方の屈曲部３３ａの裏面全体には、面ファスナの一方６２ａに係合可能な面ファスナの他方６２ｂが固定されている。
【００５２】
また、上記の他方の屈曲部３３ａには、その長手方向に沿って複数の取手３５が設けられている。この例では、一対の長穴からなる取手３５を３個形成している。
【００５３】
また、連結部材５１を不要とするため、支持体３１の一方の端に位置して幅広の屈曲部３３（３３ａ）を備える板状部３２の反屈曲部３３側の端面における板状部３２の裏面３２ｄ側の角に閉鎖帯３８を備えている。閉鎖帯３８の裏面には、面ファスナの他方６７ｂを備え、この面ファスナの他方６７ｂが係止する面ファスナの一方６７ａを、支持体３１の他方の端に位置して幅狭の屈曲部３３（３３ｂ）を備える板状部３２の反屈曲部３３側の端面と、幅狭の屈曲部３３（３３ｂ）の表面とに備えている。
【００５４】
このように構成した支持体３１は、図１３に示したように、使用するときには３枚の板状部３２を広げて、柱状体７１等に巻き付けるようにして、閉鎖帯３８を用いて両端の板状部３２同士を結合して閉じる。その際、上記の一方の屈曲部３３ｂで連結された２枚の板状部３２の相対向する傾斜端面３２ｅが互いに突き当たることで、上記の２枚の板状部３２の間のなす角度は所定の角度（例えば６０度）よりも広がらないように規制される。また、上記の屈曲部３３ａの裏面の面ファスナの他方６２ｂをこれと対向する板状部３２の端面の面ファスナの一方６２ａに係止して、上記の他方の屈曲部３３ａが捲り上がることが防止される。
【００５５】
一方、支持体３１を使用しないときには、図１５に示したように、幅広の屈曲部３３（３３ａ）で連結された２枚の板状部３２を、それらの表面３２ｃが内側に向くように折り重ねるとともに、これらの間に残りの１枚の板状部３２を挟み込む。幅広の屈曲部３３（３３ａ）を上にすると、取手３５に手がかけやすい状態になり、持ち運び時に持つ部分として使用できる。また、幅狭の屈曲部３３（３３ｂ）の面ファスナの一方６７ａに閉鎖帯３８の面ファスナの他方６７ｂを係合して、３枚の板状部３２の重ね合わせ状態を保持する。
【００５６】
＜変形例４＞  
また、上記の実施形態では、傾斜端面３２ｅを有する２枚の板状部３２の頂角αを例えば３０度に設定することで、それら２枚の板状部３２同士のなす角度θが例えば６０度になるようにしたが、この例では、図１６に示したように、表示体１１をより狭い設置場所に設置できるように、傾斜端面３２ｅを有する２枚の板状部３２の頂角αを、３０度よりも狭い例えば１５度に設定し、それら２枚の板状部３２同士のなす角度θを例えば３０度にしている。
【００５７】
＜変形例５＞  
また、図１７及び図１８（ａ）に示したように、上記の変形例４において、更に、２枚の板状部３２の傾斜端面３２ｅ同士の間に着脱自在に装着され、２枚の板状部３２同士のなす角度θを３０度（所定の角度）よりも大きい６０度（別の所定の角度）に合わせる介装部材４０を備えてもよい。
【００５８】
介装部材４０は、例えば断面２等辺三角形状の柱形に形成されている。介装部材の頂角βは、例えば３０度になっている。図１８（ｂ）に示したように、介装部材４０の頂角βの両側の側面（即ち板状部３２の傾斜端面３２ｅに当接する側面）にはそれぞれ、面ファスナの一方６８ａが固定されており、２枚の板状部３２の傾斜端面３２ｅにはそれぞれ、面ファスナの一方６８ａと係止する面ファスナの他方６８ｂが固定されている。
【００５９】
この例では、表示体１１を表示に使用する際、例えば表示体１１の設置場所の広さに応じて、２枚の板状部３２のなす角度θを例えば３０度と６０度のうちの所望の角度に合わせることができる。即ち、設置場所が狭い場合は、２枚の板状部３２のなす角度θを、狭めの角度として例えば３０度にし、設置場所が広い場合は、２枚の板状部３２のなす角度θを、広めの角度として例えば６０度にする。
【００６０】
２枚の板状部３２のなす角度を３０度に合わせる場合、上記の実施形態と同様に（図１６参照）、介装部材４０を２枚の板状部３２の傾斜端面３２ｅの間に装着せずに、２枚の板状部３２の傾斜端面３２ｅを互いに突き合わせた状態で、連結部材５１を用いて２枚の板状部３２のなす角度θが開かないように規制する。これにより、２枚の板状部３２のなす角度θが３０度に固定される。
【００６１】
他方、２枚の板状部３２のなす角度を６０度に合わせる場合は、図１８（ａ）に示したように、介装部材４０の頂角βを屈曲部３３側に向けて、介装部材４０を２つの板状部３２の傾斜端面３２ｅの間に挟み込むことで、２つの板状部３２のなす角度θを６０度（＝２α＋β）に合わせ、この状態で、連結部材５１を用いて２枚の板状部３２のなす角度θが開かないように規制する。これにより、２枚の板状部３２のなす角度θが６０度に固定される。上記の規制状態では、介装部材４０の両側面の面ファスナの一方６２ａが２つの板状部３２の傾斜端面３２ｅの面ファスナの他方６２ｂに係止し、この結果、介装部材４０が２つの板状部３２の傾斜端面３２ｅの間から脱落することが防止される。
【００６２】
この例によれば、介装部材４０が２枚の板状部３２の傾斜端面３２ｅ同士の間に装着されることで、２枚の板状部３２同士のなす角度θを例えば３０度（所定の角度）よりも大きい例えば６０度（別の所定の角度）に正確に合わせることができる。
また、面ファスナで、介装部材４０を２つの板状部３２の傾斜端面３２ｅの間に着脱自在に装着することができる。
【００６３】
なお、この例において、図１９に示すように、２枚の板状部３２の傾斜端面３２ｅのうち、一方の傾斜端面には面ファスナの一方６８ａを固定し、他方の傾斜端面には面ファスナの一方６８ａに係止する面ファスナの他方６８ｂを固定し、介装部材４０の両側面のうち、一方の側面には面ファスナの他方６８ｂを固定し、他方の側面には面ファスナの一方６８ａを固定してもよい。
【００６４】
この場合、２枚の板状部３２の傾斜端面３２ｅの間に介装部材４０を装着する場合は、上記同様、面ファスナで介装部材４０が２枚の板状部３２の傾斜端面３２ｅの間に固定される。他方、２枚の板状部３２の間に介装部材４０を介装しないで２枚の板状部３２の傾斜端面３２ｅ同士を互いに突き合わせる場合は、２枚の板状部３２の傾斜端面３２ｅに固定された面ファスナが互いに係止し、これによっても、２枚の板状部３２のなす角度が開くことが防止される。この場合、連結部材５１は省略されてもよい。
【００６５】
なお、この発明は、上記の実施形態及び変形例に限定されるものではなく、上記の実施形態及び変形例の組み合わせや、その他の構成を採用することができる。
【００６６】
例えば、支持体の板状部の枚数は４枚以上としてもよく、屈曲部の形成位置や幅寸法は、板状部の枚数や組み方に応じて適宜設定される。
【００６７】
また板状部は、方形以外の形状であってもよい。
【００６８】
使用する面ファスナにあっては、雌雄別々のものを一組ものと使用するほか、雌雄同体のものを使用してもよい。
【００６９】
板状部と屈曲部は一体成形で形成することもできる。
【符号の説明】
【００７０】
１１…表示体
２１…表示シート
３１…支持体
３２…板状部
３２ｅ…傾斜端面
３３…屈曲部
３５…取手
３６…連結穴
４０…介装部材
５１…連結部材
５５…連結帯
６１ａ…面ファスナの一方
６１ｂ…面ファスナの他方
６４ｂ…面ファスナの他方
６５…面ファスナ
【図１】
2019086611.tif 000003
【図２】
2019086611.tif 000004
【図３】
2019086611.tif 000005
【図４】
2019086611.tif 000006
【図５】
2019086611.tif 000007
【図６】
2019086611.tif 000008
【図７】
2019086611.tif 000009
【図８】
2019086611.tif 000010
【図９】
2019086611.tif 000011
【図１０】
2019086611.tif 000012
【図１１】
2019086611.tif 000013
【図１２】
2019086611.tif 000014
【図１３】
2019086611.tif 000015
【図１４】
2019086611.tif 000016
【図１５】
2019086611.tif 000017
【図１６】
2019086611.tif 000018
【図１７】
2019086611.tif 000019
【図１８】
2019086611.tif 000020
【図１９】
2019086611.tif 000021